(57)【要約】【課題】ディジタル複合機において、出荷前検査に要する時間を短縮する。【解決手段】ディジタル複合機は、電源オフ状態で電源ボタンのみが操作された場合に（＃１でＮＯ）、プリンタ部のプリンタヘッド初期化処理（＃３）及び用紙搬送部初期化処理（＃４）、並びに、スキャナ部のポジション初期化処理（＃５）及びキャリブレーション処理を行い（＃７）、電源オフ状態で電源ボタン及びスキャンボタンが操作された場合に（＃１でＹＥＳ）、上記初期化処理のうちのキャリブレーション処理（＃７）を省略して装置の初期化処理を行う。出荷前検査においてプリンタ部を検査する際、スキャナ部のキャリブレーション処理（＃７）を省略することができ、初期化処理に要する時間を短縮することができるので、出荷前検査に要する時間を短縮することができる。【選択図】  図３
2006332739.tif 000002
【特許請求の範囲】
【請求項１】
原稿に形成された画像をＣＩＳ（Contact Image Sensor）で読み取るスキャナ部と、記録用紙を搬送すると共に、該記録用紙に画像を形成するプリンタ部と、ユーザによって操作される操作部と、パワーオンリセット時に、前記スキャナ部と前記プリンタ部の初期化処理を制御する初期化処理制御手段とを備え、
前記プリンタ部は、記録用紙を搬送する用紙搬送部と、該用紙搬送部によって搬送される記録用紙に画像を形成する画像形成部とを有し、
前記操作部は、電源ボタンと、前記スキャナ部を使用する際に操作されるスキャナ操作ボタンとを有し、
前記スキャナ部の初期化処理は、前記ＣＩＳをホームポジションに移動させるポジション初期化処理と、前記ＣＩＳの校正を行うキャリブレーション処理とを含み、
前記プリンタ部の初期化処理は、前記用紙搬送部に残っている記録用紙を排出して該用紙搬送部の状態を初期化する用紙搬送部初期化処理と、前記画像形成部をホームポジションに移動させて、該画像形成部の状態を初期化する画像形成部初期化処理とを含む、ディジタル複合機において、
前記初期化処理制御手段は、
電源オフ状態で前記電源ボタンのみが操作された際に、前記用紙搬送部初期化処理、前記画像形成部初期化処理、前記ポジション初期化処理、及び前記キャリブレーション処理を行い、
電源オフ状態で前記電源ボタン及び前記スキャナ操作ボタンが操作された際に、前記スキャナ部及び前記プリンタ部の初期化処理のうちの前記キャリブレーション処理を省略して初期化処理を行うことを特徴とするディジタル複合機。
【請求項２】
原稿に形成された画像をイメージセンサで読み取るスキャナ部と、記録用紙を搬送すると共に、該記録用紙に画像を形成するプリンタ部と、ユーザによって操作される操作部と、パワーオンリセット時に、前記スキャナ部と前記プリンタ部の初期化処理を制御する初期化処理制御手段とを備え、
前記操作部は、電源ボタンと、前記スキャナ部又はプリンタ部を使用する際に操作される操作ボタンとを有するディジタル複合機において、
前記初期化処理制御手段は、
電源オフ状態で前記電源ボタンのみが操作された際に、前記スキャナ部及び前記プリンタ部の全ての初期化処理を行い、
電源オフ状態で前記電源ボタン及び前記操作ボタンが操作された際に、前記スキャナ部及び前記プリンタ部の初期化処理のうちの一部の処理を省略して初期化処理を行うことを特徴とするディジタル複合機。
【請求項３】
前記スキャナ部の初期化処理は、前記イメージセンサをホームポジションに移動させるポジション初期化処理と、前記イメージセンサの校正を行うキャリブレーション処理とを含み、
前記初期化処理制御手段は、
電源オフ状態で前記電源ボタン及び前記操作ボタンが操作された際に、前記スキャナ部及び前記プリンタ部の初期化処理のうちの前記キャリブレーション処理を省略して、初期化処理を行うことを特徴とする請求項２に記載のディジタル複合機。
【発明の詳細な説明】
【技術分野】
【０００１】
本発明は、スキャナ部及びプリンタ部を備えたディジタル複合機に関する。
【背景技術】
【０００２】
近年、原稿に形成された画像を読み取るスキャナ部と、記録用紙に画像を形成するプリンタ部とを備えた、いわゆるオールインワン（ＡＯＩ）タイプのディジタル複合機が普及してきている。このようなディジタル複合機においては、出荷前段階において、スキャナ部のイメージセンサの電圧チェックや読み取り開始位置のチャック、プリンタ部の印字品位のチェックや印字速度のチェック等、様々な製品検査（以下、出荷前検査という）が行われる。このような出荷前検査は、通常、検査の種類毎に流れ作業で行われ、各検査工程において、検査員は装置の電源ボタンを押下して装置を起動し、スキャナ部及びプリンタ部の初期化処理が終了した後に所定の検査を行う。そして、検査が終了すると、装置は再度、電源オフ状態にされ、次の検査工程に回される。なお、特許文献１には、テスト印字することができる画像形成装置が記載されている。
【特許文献１】特開平５−０６６６２９号公報
【発明の開示】
【発明が解決しようとする課題】
【０００３】
ところで、上述したスキャナ部の初期化処理には、イメージセンサをホームポジションに移動させるポジション初期化処理や、イメージセンサの校正を行うキャリブレーション処理等が含まれる。また、プリンタ部の初期化処理には、用紙搬送部に残っている記録用紙を排出して用紙搬送部の状態を初期化する用紙搬送部初期化処理や、プリンタヘッド等の画像形成部をホームポジションに移動させて、該画像形成部の状態を初期化する画像形成部初期化処理等が含まれる。
【０００４】
従来のディジタル複合機においては、出荷前検査をする際、例えば、プリンタ部のみを検査する場合であっても、プリンタ部と共にスキャナ部の初期化処理が行われるため、初期化処理に長時間を要し、その間、検査員は検査作業をすることができず、作業効率が悪いという問題があった。このような問題は、ディジタル複合機の多機能化が進み、これに伴って検査工程も増加する今日においては無視することができない問題であり、検査に要する時間の増加が製品コストに大きな影響を与えることにもなる。なお、特許文献１に記載の画像形成装置は、出荷前検査に要する時間を短縮することができるものではない。
【０００５】
本発明は、上記の問題を解決するためになされたものであり、検査工程において装置の初期化処理に要する時間を短縮し、出荷前検査に要する時間を短縮することができるディジタル複合機を提供することを目的とする。
【課題を解決するための手段】
【０００６】
上記目的を達成するために請求項１の発明は、原稿に形成された画像をＣＩＳ（Contact Image Sensor）で読み取るスキャナ部と、記録用紙を搬送すると共に、該記録用紙に画像を形成するプリンタ部と、ユーザによって操作される操作部と、パワーオンリセット時に、前記スキャナ部と前記プリンタ部の初期化処理を制御する初期化処理制御手段とを備え、前記プリンタ部は、記録用紙を搬送する用紙搬送部と、該用紙搬送部によって搬送される記録用紙に画像を形成する画像形成部とを有し、前記操作部は、電源ボタンと、前記スキャナ部を使用する際に操作されるスキャナ操作ボタンとを有し、前記スキャナ部の初期化処理は、前記ＣＩＳをホームポジションに移動させるポジション初期化処理と、前記ＣＩＳの校正を行うキャリブレーション処理とを含み、前記プリンタ部の初期化処理は、前記用紙搬送部に残っている記録用紙を排出して該用紙搬送部の状態を初期化する用紙搬送部初期化処理と、前記画像形成部をホームポジションに移動させて、該画像形成部の状態を初期化する画像形成部初期化処理とを含む、ディジタル複合機において、前記初期化処理制御手段は、電源オフ状態で前記電源ボタンのみが操作された際に、前記用紙搬送部初期化処理、前記画像形成部初期化処理、前記ポジション初期化処理、及び前記キャリブレーション処理を行い、電源オフ状態で前記電源ボタン及び前記スキャナ操作ボタンが操作された際に、前記スキャナ部及び前記プリンタ部の初期化処理のうちの前記キャリブレーション処理を省略して初期化処理を行うことを特徴とする。
【０００７】
請求項２の発明は、原稿に形成された画像をイメージセンサで読み取るスキャナ部と、記録用紙を搬送すると共に、該記録用紙に画像を形成するプリンタ部と、ユーザによって操作される操作部と、パワーオンリセット時に、前記スキャナ部と前記プリンタ部の初期化処理を制御する初期化処理制御手段とを備え、前記操作部は、電源ボタンと、前記スキャナ部又はプリンタ部を使用する際に操作される操作ボタンとを有するディジタル複合機において、前記初期化処理制御手段は、電源オフ状態で前記電源ボタンのみが操作された際に、前記スキャナ部及び前記プリンタ部の全ての初期化処理を行い、電源オフ状態で前記電源ボタン及び前記操作ボタンが操作された際に、前記スキャナ部及び前記プリンタ部の初期化処理のうちの一部の処理を省略して初期化処理を行うことを特徴とする。
【０００８】
請求項３の発明は、請求項２に記載のディジタル複合機において、前記スキャナ部の初期化処理は、前記イメージセンサをホームポジションに移動させるポジション初期化処理と、前記イメージセンサの校正を行うキャリブレーション処理とを含み、前記初期化処理制御手段は、電源オフ状態で前記電源ボタン及び前記操作ボタンが操作された際に、前記スキャナ部及び前記プリンタ部の初期化処理のうちの前記キャリブレーション処理を省略して、初期化処理を行うことを特徴とする。
【発明の効果】
【０００９】
以上のように請求項１の発明によれば、電源オフ状態で電源ボタン及びスキャナ操作ボタンが操作された際に、スキャナ部及びプリンタ部の初期化処理のうちのキャリブレーション処理を省略して初期化処理を行うようにしたので、出荷前検査においてプリンタ部を検査する際、スキャナ部のキャリブレーション処理を省略することができ、初期化処理に要する時間を短縮することができる。このため、プリンタ部の出荷前検査に要する時間を短縮することができる。
【００１０】
また、通常、スキャナ部のキャリブレーション処理は、プリンタ部の初期化処理より長時間を要する場合が多いが、上記のようにプリンタ部を検査する際にスキャナ部のキャリブレーション処理を省略することができるようにしたので、プリンタ部の初期化処理とスキャナ部の初期化処理が交互に行われる場合のみならず、プリンタ部の初期化処理とスキャナ部の初期化処理が並列して行われる場合であっても、装置の初期化処理に要する時間を短縮することができる。
【００１１】
また、キャリブレーション処理を省略した初期化処理は、電源ボタンと、スキャナ部を使用する際に操作されるスキャナ操作ボタンに基づいて行われるため、装置に新たなボタンを追加する必要がない。
【００１２】
請求項２によれば、電源オフ状態で電源ボタン及び操作ボタンが操作された際に、スキャナ部及びプリンタ部の初期化処理のうちの一部の処理を省略して初期化処理を行うようにしたので、出荷前検査の各検査工程において、必要ではない初期化処理を省略することができる。このため、出荷前検査に要する時間を短縮することができる。
【００１３】
請求項３によれば、プリンタ部を検査する際にスキャナ部のキャリブレーション処理を省略することができるようにしたので、プリンタ部の初期化処理とスキャナ部の初期化処理が交互に行われる場合のみならず、プリンタ部の初期化処理とスキャナ部の初期化処理が並列して行われる場合であっても、装置の初期化処理に要する時間を短縮することができる。
【発明を実施するための最良の形態】
【００１４】
以下、本発明を具体化した一実施形態について説明する。なお、本実施形態では、ディジタル複合機の例として、ＣＩＳ方式のフラットベットタイプのスキャナ部、及びインクジェットタイプのプリンタ部を備えたディジタル複合機を用いた場合について説明する。図１及び図２に示されるように、ディジタル複合機１は、原稿に形成された画像をＣＩＳ（Contact Image Sensor）２１で読み取るスキャナ部２と、記録用紙を搬送すると共に、該記録用紙に画像を形成するプリンタ部３と、ユーザによって操作される操作部４と、パワーオンリセット時（以下、ＰＯＲ時という）に、スキャナ部２とプリンタ部３の初期化処理を制御する制御部（初期化処理制御手段）１１とを備えている。
【００１５】
スキャナ部２は、原稿が載置される載置台と、原稿の表面で反射した光を受光することにより画像を読み取るＣＩＳ２１と、ＣＩＳ２１を走査するためステッピングモータ等を含む駆動機構と、ＣＩＳ２１により読み取った画像を処理するスキャナ画像処理部とを有している。なお、図１及び図２において、上記載置台、駆動機構、及びスキャナ画像処理部の記載は省略している。
【００１６】
プリンタ部３は、記録用紙を搬送する用紙搬送部３１と、該用紙搬送部３１によって搬送される記録用紙に画像を形成するプリンタヘッド（画像形成部）３２と、入力されたプリント用の画像データを処理するプリンタ画像処理部（図示せず）とを有している。
【００１７】
操作部４は、電源ボタン４１と、スキャナ部２で原稿をスキャンする際に操作されるスキャンボタン（スキャナ操作ボタン）４２とを有している。制御部１１は、ＲＯＭ（Read  Only  Memory）１２に記憶されたプログラムにしたがって、ディジタル複合機１全体の動作を制御し、後述する初期化処理を行うことにより初期化処理制御手段として機能する。
【００１８】
本装置の初期化処理には、スキャナ部２の初期化処理とプリンタ部３の初期化処理が含まれている。また、スキャナ部２の初期化処理は、ＣＩＳ２１のホームポジションを検出し、ＣＩＳ２１をホームポジションに移動させるポジション初期化処理と、ＣＩＳ２１の校正を行うキャリブレーション処理とを含んでいる。キャリブレーション処理では、例えば、白基準等となるキャリブレーションシートを読み取ったときのイメージセンサの出力に基づいて、光源の照度分布ムラや、イメージセンサの画素毎の感度ムラ等により生じる不均一要因の校正が行われる。ポジション初期化処理は、例えば、キャリブレーションシート等に形成されたホームパターン等を検出することにより行われる。プリンタ部３の初期化処理は、用紙搬送部３１に残っている記録用紙を排出して該用紙搬送部３１の状態を初期化する用紙搬送部初期化処理と、プリンタヘッド３２をホームポジションに移動させてキャッピング等を行い、該プリンタヘッド３２の状態を初期化するプリンタヘッド初期化処理（画像形成部初期化処理）とを含んでいる。
【００１９】
また、図２に示されるように、ディジタル複合機１は、上記構成に加え、制御部１１により実行されるプログラム等を格納するＲＯＭ１２と、後述するＰＯＲ時間短縮フラグ等の情報を記憶するＲＡＭ（Random  Access  Memory）１３と、装着されたメモリカードＭに対して画像データの入出力を行うカードリーダ部５と、メニュー画面等を表示するＬＣＤ（Liquid  Crystal  Display）６とを備えている。
【００２０】
次に、ディジタル複合機１による初期化処理について図３のフローチャートを参照して説明する。制御部１１は、電源オフ状態で操作部４の電源ボタン４１が操作されると、初期化処理を開始する。初期化処理が開始されると、制御部１１は、電源投入時に電源ボタン４１とスキャンボタン４２が同時に押下されたか否か判断する（＃１）。そして、電源ボタン４１とスキャンボタン４２が押下されていれば（＃１でＹＥＳ）、ＰＯＲ時にスキャナ部２のキャリブレーション処理を省略するか否かを示す（すなわち、ＰＯＲ時にスキャナ部２のキャリブレーション処理を省略して初期化処理に要する時間を短縮するか否かを示す）ＰＯＲ時間短縮フラグをオンする（＃２）。そして、プリンタ部３のプリンタヘッド初期化処理（＃３）及び用紙搬送部初期化処理（＃４）を実行し、スキャナ部２のポジション初期化処理（＃５）を実行する。なお、これら各初期化処理は並列して実行されることが好ましい。これら初期化処理を並列して実行することにより初期化処理時間の短縮を図ることができる。
【００２１】
次に、スキャナ部２のポジション初期化処理（＃５）が終了すると、ＰＯＲ時間短縮フラグがオンか否か判断し（＃６）、ＰＯＲ時間短縮フラグがオンであれば（すなわち、電源投入時に電源ボタン４１とスキャンボタン４２が同時に操作された場合）（＃６でＹＥＳ）、キャリブレーション処理（＃７）を省略して、初期化処理を終了する。一方、電源投入時に電源ボタン４１のみが操作され（＃１でＮＯ）、ＰＯＲ時間短縮フラグがオフであれば（＃６でＮＯ）、プリンタヘッド初期化処理（＃３）、用紙搬送部初期化処理（＃４）、及びポジション初期化処理（＃５）を実行した後に、キャリブレーション処理（＃７）を実行して、初期化処理を終了する。
【００２２】
出荷前検査を行う検査員は、プリンタ部３を検査する際には、電源投入時に電源ボタン４１及びスキャンボタン４２を同時に操作して、キャリブレーション処理を省略して初期化処理を実行させる。一方、スキャナ部２を検査する際には、電源投入時に電源ボタン４１のみを操作して、キャリブレーション処理を省略せずに初期化処理を実行させる。
【００２３】
以上のように本実施形態のディジタル複合機１によれば、電源オフ状態で電源ボタン４１及びスキャンボタン４２が操作された際に、スキャナ部２及びプリンタ部３の初期化処理のうちのキャリブレーション処理を省略して初期化処理を行うようにしたので、出荷前検査においてプリンタ部３を検査する際、スキャナ部２のキャリブレーション処理を省略することができ、初期化処理に要する時間を短縮することができる。このため、プリンタ部３の出荷前検査に要する時間を短縮することができる。
【００２４】
また、通常、スキャナ部２のキャリブレーション処理は、プリンタ部３の初期化処理より長時間を要する場合が多いが、上記のようにプリンタ部３を検査する際にスキャナ部２のキャリブレーション処理を省略することができるようにしたので、プリンタ部３の初期化処理とスキャナ部２の初期化処理が交互に行われる場合（例えば、プリンタ部３の初期化処理が終了した後にスキャナ部２の処理化処理を開始する場合）のみならず、プリンタ部３の初期化処理とスキャナ部２の初期化処理が並列して行われる場合であっても、装置の初期化処理に要する時間を短縮することができる。
【００２５】
また、キャリブレーション処理を省略した初期化処理は、電源ボタン４１と、スキャナ部２で原稿をスキャンする際に操作されるスキャンボタン４２に基づいて行われるため、装置に新たなボタンを追加する必要がない。
【００２６】
なお、本発明は上記実施形態の構成に限られることなく種々の変形が可能である。例えば、本発明を、縮小光学系及びＣＣＤ（Charge Coupled Device）を備えた、いわゆるＣＣＤ方式の画像読取装置に適用することも可能である。また、装置の初期化処理は、上記用紙搬送部初期化処理、プリンタヘッド初期化処理、ポジション初期化処理、及びキャリブレーション処理以外の処理であってもよく、省略可能な初期化処理はキャリブレーション処理以外の処理であってもよい。
【図面の簡単な説明】
【００２７】
【図１】本発明の一実施形態に係るディジタル複合機の斜視図。
【図２】同ディジタル複合機のブロック図。
【図３】同ディジタル複合機による初期化処理を示すフローチャート。
【符号の説明】
【００２８】
１    ディジタル複合機
２    スキャナ部
３    プリンタ部
４    操作部
１１  制御部（初期化処理制御手段）
２１  ＣＩＳ（イメージセンサ）
３１  用紙搬送部
３２  プリンタヘッド（画像形成部）
４１  電源ボタン
４２  スキャンボタン（スキャナ操作ボタン，操作ボタン）
【図１】
2006332739.tif 000003
【図２】
2006332739.tif 000004
【図３】
2006332739.tif 000005